(57)【要約】【課題】本発明は、記録ディスクメディアの高密度記録化を図ることができる記録ディスクカートリッジを提供することを課題とする。【解決手段】本発明は、アクセス用開口部を有するカートリッジケース内で回動してアクセス用開口部を開閉するロータリシャッタ２０を備える記録ディスクカートリッジにおいて、ロータリシャッタ２０が、上シャッタ２１及び下シャッタ２２と、上シャッタ２１と下シャッタ２２との間に別体で配置されてロータリシャッタ２０の周壁部２０ａを構成するシャッタウォール２３とを備えることを特徴とする。【選択図】図４
2007141328.tif 000002
【特許請求の範囲】
【請求項１】
記録ディスクメディアと、前記記録ディスクメディアを収容するとともに前記記録ディスクメディアを外部に臨ませる開口部を有するカートリッジケースと、前記カートリッジケース内で回動して前記開口部を開閉する円盤形状のロータリシャッタとを備える記録ディスクカートリッジにおいて、
前記ロータリシャッタが、前記開口部に対応した形状の切欠部をそれぞれ有する略円形の第１のシャッタプレート及び第２のシャッタプレートと、
前記切欠部が揃うようにそれぞれ配置された前記第１のシャッタプレートと前記第２のシャッタプレートとの間に別体で配置されて前記ロータリシャッタの周壁部を構成するシャッタウォールと、
を備えることを特徴とする記録ディスクカートリッジ。
【請求項２】
前記シャッタウォールが前記第１のシャッタプレート及び前記第２のシャッタプレートのそれぞれに向かって突出するボスを有しているとともに、前記ボスが前記第１のシャッタプレート及び前記第２のシャッタプレートに形成されたボス孔に挿通されてかしめられることで、前記第１のシャッタプレート及び前記第２のシャッタプレートが前記シャッタウォールに固定されていることを特徴とする請求項１に記載の記録ディスクカートリッジ。
【請求項３】
前記シャッタウォールに沿うように前記第１のシャッタプレート及び前記第２のシャッタプレートの周方向に並ぶ複数の前記ボス孔のうち、前記切欠部を挟む端位置に形成された前記ボス孔が円孔であり、他の前記ボス孔が、前記周方向に長い長孔であって、円孔の内径は、ボスの外径よりも大きいことを特徴とする請求項２に記載の記録ディスクカートリッジ。
【請求項４】
前記ボス孔が、前記シャッタウォールから離れる方向に向かって拡径するようにテーパが形成されていることを特徴とする請求項２又は請求項３に記載の記録ディスクカートリッジ。
【請求項５】
前記第１のシャッタプレート及び前記第２のシャッタプレートの外周側には、ギヤ状の凹凸が形成されており、前記シャッタウォールには、前記第１のシャッタプレート及び前記第２のシャッタプレートの厚さ以上の深さで、前記ギヤ状の凹凸を構成する凸部を受け入れる窪みが形成されていることを特徴とする請求項１から請求項４のいずれか１項に記載の記録ディスクカートリッジ。
【請求項６】
前記窪みには、前記ボスが設けられており、前記第１のシャッタプレート側の前記ボスと、前記第２のシャッタプレート側の前記ボスとが周方向に互い違いに設けられるとともに、前記ボスの高さが、前記窪みの深さと略一致していることを特徴とする請求項５に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。ここで、図１０（ａ）は、従来の記録ディスクカートリッジの上側を前方左側から見下ろした様子を示す図、図１０（ｂ）は、この記録ディスクカートリッジを構成するロータリシャッタの分解斜視図である。図１０（ａ）に示すように、従来の記録ディスクカートリッジ８００は、その外観が厚さの薄い略直方体であって、カートリッジケース８１０の内部に回動可能に配置されたロータリシャッタ８２０と、このロータリシャッタ８２０の内部に回転自在に配置された記録ディスクメディア８３０とを備えている。この記録ディスクカートリッジ８００では、薄さを確保するために、カートリッジケース８１０とロータリシャッタ８２０とが金属プレートに絞り加工を施すことによって形成されている。
この記録ディスクカートリッジ８００では、図示しない専用のドライブ装置に装填された際に、ロータリシャッタ８２０が回動することでロータリシャッタ８２０の切欠部８２１がカートリッジケース８１０のアクセス用開口部８１３と重なり合って、記録ディスクメディア８３０が外部に臨むようになっている。
【０００４】
そして、従来の記録ディスクカートリッジ８００では、図１０（ｂ）に示すように、ロータリシャッタ８２０が上シャッタ８２３と下シャッタ８２４とで構成されており、この上シャッタ８２３と下シャッタ８２４のそれぞれは、略円形の輪郭を有するとともに切欠部８２１が形成された平坦部８０１と、この平坦部８０１の縁から起立する周壁部８０２とを有している。
【特許文献１】米国特許第６２５６１６８号明細書
【発明の開示】
【発明が解決しようとする課題】
【０００５】
しかしながら、従来の記録ディスクカートリッジ８００におけるロータリシャッタ８２０（上シャッタ８２３及び下シャッタ８２４）は、図１０（ｂ）に示すように、平坦部８０１の円弧状の外縁から周壁部８０２が立ち上がるように絞り加工が施されるために、折り曲げ箇所で加工歪みを生じる。その一方で、切欠部８２１（周壁部８０２のない部分）では加工歪みが生じない。そのために、平坦部８０１には反りやうねりが生じやすい。そして、このような反りやうねりがロータリシャッタ８２０に生じると、従来の記録ディスクカートリッジ８００では、ロータリシャッタ８２０の内部に配置された記録ディスクメディア８３０（図１０（ａ）参照）の回転動作が安定しないために、記録ディスクメディア８３０の高密度記録化を図ることができないという問題があった。
【０００６】
そこで、本発明は、記録ディスクメディアの高密度記録化を図ることができる記録ディスクカートリッジを提供することを課題とする。
【課題を解決するための手段】
【０００７】
前記課題を解決する本発明は、記録ディスクメディアと、前記記録ディスクメディアを収容するとともに前記記録ディスクメディアを外部に臨ませる開口部を有するカートリッジケースと、前記カートリッジケース内で回動して前記開口部を開閉する円盤形状のロータリシャッタとを備える記録ディスクカートリッジにおいて、前記ロータリシャッタが、前記開口部に対応した形状の切欠部をそれぞれ有する略円形の第１のシャッタプレート及び第２のシャッタプレートと、前記切欠部が揃うようにそれぞれ配置された前記第１のシャッタプレートと前記第２のシャッタプレートとの間に別体で配置されて前記ロータリシャッタの周壁部を構成するシャッタウォールとを備えることを特徴とする。
この記録ディスクカートリッジでは、ロータリシャッタの周壁部が、上シャッタ及び下シャッタと別体のシャッタウォールで形成されている。つまり、記録ディスクカートリッジでは、従来の記録ディスクカートリッジ（例えば、特許文献１参照）におけるロータリシャッタと異なって、周壁部が折り曲げ加工で形成されていないので、加工歪みを生じることがなく、上シャッタ及び下シャッタの平坦性が失われることがない。その結果、この記録ディスクカートリッジによれば、記録ディスクメディアの回転動作が安定する。
【０００８】
また、このような記録ディスクカートリッジにおいては、前記シャッタウォールが前記第１のシャッタプレート及び前記第２のシャッタプレートのそれぞれに向かって突出するボスを有しているとともに、前記ボスが前記第１のシャッタプレート及び前記第２のシャッタプレートに形成されたボス孔に挿通されてかしめられることで、前記第１のシャッタプレート及び前記第２のシャッタプレートが前記シャッタウォールに固定されていてもよい。
【０００９】
また、このような記録ディスクカートリッジにおいては、前記シャッタウォールに沿うように前記第１のシャッタプレート及び前記第２のシャッタプレートの周方向に並ぶ複数の前記ボス孔のうち、前記切欠部を挟む端位置に形成された前記ボス孔が円孔であり、他の前記ボス孔が、前記周方向に長い長孔であって、円孔の内径は、ボスの外径よりも大きいことが望ましい。
この記録ディスクカートリッジでは、シャッタウォールのボスが、第１のシャッタプレート及び第２のシャッタプレートの円孔、つまり端位置に形成されたボス孔に挿通される際に、円孔の内径は、ボスの外径よりも大きいので、嵌合余裕が生じる。その結果、第１のシャッタプレート及び第２のシャッタプレートにストレス（歪み）が生じることがないので、第１のシャッタプレート及び第２のシャッタプレートの平坦性が失われることがより確実に防止される。そして、シャッタウォールの延びる方向に並んで立設された複数のボスの各位置に、累積誤差が生じたとしても、端位置のボス孔（円孔）以外のボス孔が周方向に長い長孔になっているので、ボスが長孔内で周方向に遊動可能となる。その結果、前記した累積誤差が解消されることで、第１のシャッタプレート及び第２のシャッタプレートにストレス（歪み）が生じることがないので、第１のシャッタプレート及び第２のシャッタプレートの平坦性が失われることがより確実に防止される。
【００１０】
また、このような記録ディスクカートリッジにおいては、前記ボス孔が、前記シャッタウォールから離れる方向に向かって拡径するようにテーパが形成されていることが望ましい。
この記録ディスクカートリッジでは、ボス孔に挿通されたボスがテーパの位置でかしめられることで、ボス孔からボスが抜け出ることが確実に防止される。その結果、第１のシャッタプレート及び第２のシャッタプレートは、より強固にシャッタウォールに固定される。
【００１１】
また、このような記録ディスクカートリッジにおいては、前記第１のシャッタプレート及び前記第２のシャッタプレートの外周側には、ギヤ状の凹凸が形成されており、前記シャッタウォールには、前記第１のシャッタプレート及び前記第２のシャッタプレートの厚さ以上の深さで、前記ギヤ状の凹凸を構成する凸部を受け入れる窪みが形成されていることが望ましい。
この記録ディスクカートリッジでは、第１のシャッタプレート及び第２のシャッタプレートの凸部が、シャッタウォールの窪みと噛み合うように、シャッタウォールと第１のシャッタプレート及び第２のシャッタプレートとが組み立てられるので、シャッタウォールに対する第１のシャッタプレート及び第２のシャッタプレートの組立精度、及び強度がより高められる。そして、この記録ディスクカートリッジでは、シャッタウォールの窪みの深さが、前記第１のシャッタプレート及び前記第２のシャッタプレートの厚さ以上になっているので、ロータリシャッタの厚さを、シャッタウォールの高さと同じに設定することができる。その結果、ロータリシャッタをより薄くすることができる。
【００１２】
なお、このような記録ディスクカートリッジにおいては、ボスの高さを窪みの深さと略一致する程度に設定することが望ましい。このようにボスの高さを設定することで、ボスをかしめた際に、ボス孔からボスが突出しないように、ボス孔内にボスをより確実に収めることができる。
【００１３】
また、このような記録ディスクカートリッジにおいては、前記窪みには、前記ボスが設けられており、前記第１のシャッタプレート側の前記ボスと、前記第２のシャッタプレート側の前記ボスとが周方向に互い違いに設けられるとともに、前記ボスの高さが、前記窪みの深さと略一致していることが望ましい。
この記録ディスクカートリッジでは、ボスをかしめる際に、ロータリシャッタの配置姿勢が安定するので、かしめ加工を精度よく行うことができる。
【発明の効果】
【００１４】
本発明の記録ディスクカートリッジによれば、記録ディスクメディアの高密度記録化を図ることができる。
【発明を実施するための最良の形態】
【００１５】
本発明を実施するための最良の形態について図面を参照して詳細に説明する。
参照する図面において、図１は、本実施形態に係る記録ディスクカートリッジを示す斜視図であり、（ａ）は、この記録ディスクカートリッジの上側を見下ろした様子を示す図、（ｂ）は、この記録ディスクカートリッジの下側を見上げた様子を示す図である。図２は、図１の記録ディスクカートリッジの分解斜視図である。図３は、図１の記録ディスクカートリッジを構成する下シェル及びハブ孔シャッタを取り外したときの記録ディスクカートリッジの下側の様子を示す図である。図４は、図１の記録ディスクカートリッジを構成するロータリシャッタの斜視図であり、（ａ）は、ロータリシャッタの上側を見下ろした様子を示す図、（ｂ）は、ロータリシャッタの下側を見上げた様子を示す図である。図５（ａ）は、図４（ａ）のＸ−Ｘ断面図であり、図５（ｂ）は、図４（ａ）のＹ−Ｙ断面図である。図６は、ロータリシャッタの分解斜視図であり、切欠部近傍の拡大図である。なお、本実施形態において方向を説明する場合は、図１に示す前、後、右、左、上、下を基準として説明する。また、図３中、下シェルのガイド溝及びハブ孔シャッタは、便宜上、仮想線（二点鎖線）で表わしている。
【００１６】
図１（ａ）及び（ｂ）に示すように、本実施形態に係る記録ディスクカートリッジ１は、その外観が板状体であって、平面視で前側の輪郭が円弧状（アーチ状）となるように、そして後側の輪郭が略矩形となるように形成されている。この記録ディスクカートリッジ１は、後記する専用のドライブ装置Ｄ（図７参照）に、その前側から挿入されて使用される。ちなみに、記録ディスクカートリッジ１の後端は、その中間部が後方に膨らんでおり、記録ディスクカートリッジ１をドライブ装置Ｄ（図７参照）に対して出し入れする際に把持し易くなっている。
【００１７】
この記録ディスクカートリッジ１は、図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０とを備えている。
【００１８】
＜カートリッジケース＞
カートリッジケース１０は、図１（ａ）及び（ｂ）に示すように、厚さの薄い箱状体であって、記録ディスクカートリッジ１の略外形を構成している。つまり、カートリッジケース１０は、前側が平面視で円弧（アーチ）状に形成されるとともに、後側、右側及び左側が平面視で略直線状に形成されている。このカートリッジケース１０の前側左寄りには、カートリッジケース１０内に収容された記録ディスクメディア３０を外部に臨ませるためのアクセス用開口部１０１が形成されている。そして、アクセス用開口部１０１は、後記するドライブ装置Ｄ（図７参照）のスイングアームＳＡ（図７参照）の動作に干渉しないように、平面視でくさび形状となっている。なお、このアクセス用開口部１０１は、特許請求の範囲にいう「開口部」に相当する。
【００１９】
このようなカートリッジケース１０は、図２に示すように、互いに対向して配置される金属製の上シェル１１及び下シェル１２と、この上シェル１１及び下シェル１２の間に介在してカートリッジケース１０の周壁となる合成樹脂製のフレーム部材１３とを備えて構成されている。ここでは、上シェル１１及び下シェル１２、並びにフレーム部材１３の順番で以下に説明する。
【００２０】
上シェル１１及び下シェル１２は、金属プレートを後記するように折り曲げ加工して形成されたものである。上シェル１１は、図２に示すように、主にカートリッジケース１０の平坦な上壁を構成し、下シェル１２は、主にカートリッジケース１０の平坦な下壁を構成している。このような上シェル１１及び下シェル１２のそれぞれには、アクセス用開口部１０１に対応する形状でアクセス用開口部１１１，１２１が形成されている。
【００２１】
そして、上シェル１１は、その左側に、折り曲げ加工して形成された平面視で直線状の折り曲げ部１１２ｄを有しており、その右側に、折り曲げ部１１２ｃを有している。下シェル１２は、その左側に、平面視で直線状の折り曲げ部１２２ｄを有しており、その右側に、折り曲げ部１２２ｃを有している。そして、下シェル１２の折り曲げ部１２２ｄ，１２２ｃが上シェル１１の折り曲げ部１１２ｄ，１１２ｃの内側に配置されるように、上シェル１１と下シェル１２とが組み合わされてカートリッジケース１０が形成されることとなる。このようなカートリッジケース１０では、上シェル１１の折り曲げ部１１２ｄ，１１２ｃと下シェル１２の折り曲げ部１２２ｄ，１２２ｃとが互いに隙間なく重なり合ってカートリッジケース１０の左右両側における直線状の周壁の一部を構成している。
【００２２】
そして、上シェル１１の中央部には、図２に示すように、ロータリシャッタ２０を回動可能に止め付けるセンタピン５０と係合する係合孔１１３が形成されている。
【００２３】
一方、下シェル１２の中央部には、記録ディスクメディア３０のハブ３２を外部に臨ませるハブ孔１２３が形成されている。そして、記録ディスクカートリッジ１がドライブ装置Ｄ（図７参照）に装填された際に、ドライブ装置Ｄのスピンドル（図示省略）が、このハブ孔１２３を介してハブ３２と係合することとなる。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
このような上シェル１１及び下シェル１２は、例えばステンレス鋼などの金属プレートに打ち抜き加工、及び前記した折り曲げ加工を施すことによって形成される。
【００２４】
フレーム部材１３は、図１（ａ）及び（ｂ）に示すように、カートリッジケース１０の前側における周壁の一部を構成するアーチ状フレーム１３１と、主に後側の周壁を構成するベースフレーム１３２と、左側の周壁の一部を構成するＶノッチ部材１３３とを備えて構成されている。
【００２５】
図３に示すように、アーチ状フレーム１３１の内壁面１３１ａは、ロータリシャッタ２０の外形に沿うように平面視で略円弧状になっており、アーチ状フレーム１３１の外壁面１３１ｂは、カートリッジケース１０の前側の輪郭を形成するように平面視で円弧状（アーチ状）になっている。そして、ベースフレーム１３２の内壁面１３２ａは、記録ディスクメディア３０の外縁に沿うように平面視で円弧状（アーチ状）になっており、ベースフレーム１３２の外壁面１３２ｂはカートリッジケース１０の後側の輪郭を形成するように平面視で略直線状になっている。
【００２６】
アーチ状フレーム１３１の内壁面１３１ａには、後記するロック片７０を係止する係合溝１３１ｅが形成されている。この係合溝１３１ｅは、記録ディスクカートリッジ１の右側で開口している。
【００２７】
Ｖノッチ部材１３３は、図３に示すように、ロータリシャッタ２０を閉位置で止めるストッパとしての役割と、ドライブ装置Ｄ（図７参照）との係合部としての役割とを担う部材であって、記録ディスクカートリッジ１の左側における直線部の前端に位置している。
【００２８】
以上のような上シェル１１及び下シェル１２とフレーム部材１３とは、例えば、かしめ、接着、ネジ止め等の公知の技術によって、それぞれ固定される。
【００２９】
＜ロータリシャッタ＞
ロータリシャッタ２０は、アクセス用開口部１０１（図１（ａ）（ｂ）参照）を開閉するためのシャッタであって、図４に示すように、略円盤形状に形成されている。このロータリシャッタ２０は、中空構造を有しており、その内部には記録ディスクメディア３０が回転自在に収容されている。そして、ロータリシャッタ２０は、アクセス用開口部１０１（図１（ａ）（ｂ）参照）と略同形状の切欠部２０１を有しており、この切欠部２０１で記録ディスクメディア３０が露出している。
【００３０】
再び図２を参照すると、ロータリシャッタ２０は、金属プレートからなる略円形の上シャッタ２１及び下シャッタ２２と、これらの間に配置された合成樹脂製のシャッタウォール２３とを備えて構成されている。なお、上シャッタ２１は、特許請求の範囲にいう「第１のシャッタプレート」に相当し、下シャッタ２２は、「第２のシャッタプレート」に相当する。ここでは、上シャッタ２１及び下シャッタ２２、並びにシャッタウォール２３の順番で以下に説明する。
【００３１】
上シャッタ２１及び下シャッタ２２は、例えばステンレスやアルミニウム合金からなる金属プレートを打ち抜き加工して形成されたものである。上シャッタ２１は、図２に示すように、主にロータリシャッタ２０の平坦な上壁を構成し、下シャッタ２２は、主にロータリシャッタ２０の平坦な下壁を構成している。上シャッタ２１には、上シェル１１の係合孔１１３に対応する位置に挿通孔２１２が形成されている。このような上シャッタ２１及び下シャッタ２２のそれぞれには、切欠部２０１に対応する形状で切欠部２１１，２２１が形成されている。この切欠部２１１，２２１は、特許請求の範囲にいう「切欠部」に相当する。そして、図４（ａ）及び（ｂ）に示すように、それぞれの切欠部２１１及び切欠部２２１が揃うように上シャッタ２１と下シャッタ２２とが組み合わせられることで、ロータリシャッタ２０の切欠部２０１が形成されることとなる。
【００３２】
下シャッタ２２の中央部には、図４（ｂ）に示すように、記録ディスクメディア３０のハブ３２を外部に臨ませるハブ孔２２２が形成されている。ちなみに、本実施形態でのハブ孔２２２は、下シェル１２（図１（ｂ）参照）のハブ孔１２３（図１（ｂ）参照）と略同径になっている。そして、記録ディスクカートリッジ１がドライブ装置Ｄ（図７参照）に装填された際に、このハブ孔２２２と前記したカートリッジケース１０（図２参照）のハブ孔１２３（図２参照）とを介して、ドライブ装置Ｄのスピンドル（図示省略）が、ハブ３２に係合することとなる。
【００３３】
下シャッタ２２の下側には、ロータリシャッタ２０を回動させるためのシャッタノブ２４が取り付けられている。このシャッタノブ２４は、図１（ｂ）に示すように、カートリッジケース１０の下シェル１２に形成されたガイド孔１２４を介して、記録ディスクカートリッジ１の下側から突出している。
【００３４】
また、下シャッタ２２の下側には、図４（ｂ）に示すように、後記するハブ孔シャッタ４０（図２参照）の係合長孔４１３（図２参照）に係合する係合突起２２３ａと、係合長孔４２３（図２参照）に係合する係合突起２２３ｂとが立設されている。
【００３５】
そして、下シャッタ２２は、図２に示すように、その一部が上側に折り曲げ加工されることで形成されたロック片７０を備えている。このロック片７０は、ロータリシャッタ２０を閉位置でロックするためのものである。ロック片７０は、図４（ａ）に示すように、上シャッタ２１と下シャッタ２２とが組み合わせられてロータリシャッタ２０が形成された際に、ロータリシャッタ２０の周壁部２０ａからその略接線方向に延出する細長の金属片である。このロック片７０の先端部７１は、周壁部２０ａ側に向かってやや屈曲している。ちなみに、このロック片７０はバネ弾性を有している。
【００３６】
また、図４（ａ）及び（ｂ）に示すように、上シャッタ２１及び下シャッタ２２のそれぞれには、その周縁に沿うように（周方向に並ぶように）、第１のボス孔５と第２のボス孔６とが形成されている。第１のボス孔５は、円孔であって、切欠部２０１に隣接する２箇所、つまり、切欠部２０１を挟む端位置に形成されている。この第１のボス孔５の最小内径は、後記するボス７（図６参照）の外径よりも大きくなっている。第２のボス孔６は、上シャッタ２１及び下シャッタ２２の周方向に径が長い長孔であって、２つの第１のボス孔５の間に複数形成されている。この第２のボス孔６の最小幅（上シャッタ２１等の径方向の最小幅）は、後記するボス７（図６参照）の外径と略同程度でよい。
【００３７】
第１のボス孔５は、図５（ａ）に示すように、シャッタウォール２３側から離れる方向に拡径するテーパ部５ａを有している。第２のボス孔６は、図５（ｂ）に示すように、その幅方向（上シャッタ２１等の径方向の幅）が、シャッタウォール２３側から離れる方向に拡径するテーパ部５ｂを有している。
【００３８】
なお、図２に示すように、前記した上シャッタ２１及び下シャッタ２２のそれぞれの内側（記録ディスクメディア３０側）には、記録ディスクメディア３０をクリーニングするとともに、記録ディスクメディア３０を保護する不織布等からなるライナ６０が設けられている。
【００３９】
シャッタウォール２３は、図２に示すように、ロータリシャッタ２０の上シャッタ２１及び下シャッタ２２の周縁に沿って延びるように配置されてロータリシャッタ２０の周壁部２０ａ（図４（ａ）参照）を構成する部材である。このシャッタウォール２３は、ロータリシャッタ２０の切欠部２０１に相当する部分が切り欠かれた、平面視で「Ｃ」字形状（切欠リング状）の部材であって、合成樹脂で形成されている。
【００４０】
このようなシャッタウォール２３には、図６に示すように、その上下であって、上シャッタ２１及び下シャッタ２２の第１のボス孔５と第２のボス孔６に対応する位置にボス７が複数立設されている。
【００４１】
そして、ロータリシャッタ２０では、シャッタウォール２３の上下のボス７が上シャッタ２１及び下シャッタ２２のそれぞれの第１のボス孔５と第２のボス孔６とに挿通されてその頭部がかしめられることによって上シャッタ２１及び下シャッタ２２がシャッタウォール２３を介して固定されることとなる。ちなみに、ボス７は、図５（ａ）及び（ｂ）に示すように、第１のボス孔５（第２のボス孔６）内に収まるように、つまり第１のボス孔５（第２のボス孔６）からボス７が突出しないようにかしめられる。なお、この「かしめ」の方法としては、公知のものでよく、例えば、熱間かしめ法、冷間かしめ法等が挙げられる。
【００４２】
このようなロータリシャッタ２０は、図２に示すように、上シェル１１の係合孔１１３に、上シャッタ２１の挿通孔２１２に挿通されたセンタピン５０が固定されることで、センタピン５０周りに回動可能にカートリッジケース１０内に収容されることとなる。
【００４３】
そして、カートリッジケース１０内でのロータリシャッタ２０は、図３に示すように、閉方向Ａ１に付勢されている。なお、この付勢手段としては、バネを有する公知の構造のものでよく、例えば、前記した特許文献１等に記載のものを使用することができる。そして、このように閉方向Ａ１に付勢されたロータリシャッタ２０は、Ｖノッチ部材１３３に当接することで閉位置に配置されてアクセス用開口部１０１（図１（ａ）（ｂ）参照）を閉じることとなる。ちなみに、本発明において、前記付勢手段は必須の構成要素ではなく、後記するように、ドライブ装置Ｄ（図７参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４４】
また、このような閉位置に配置されたロータリシャッタ２０では、ロック片７０の先端部７１が、アーチ状フレーム１３１の係合溝１３１ｅに嵌り込むことで、ロータリシャッタ２０の回動を制止している。そして、この先端部７１は、記録ディスクカートリッジ１の右側で開口している係合溝１３１ｅで外部に臨んでいる。
【００４５】
＜記録ディスクメディア＞
記録ディスクメディア３０は、データを記録する記録媒体であり、図２に示すように、フレキシブルディスク３１と、このフレキシブルディスク３１を支持するハブ３２とを備えて構成されている。
【００４６】
フレキシブルディスク３１は、例えば、ポリエステルシート等からなる円盤状の支持体の両面に磁性層等の記録層を形成したものである。
【００４７】
ハブ３２は、フレキシブルディスク３１を支持する金属製の円盤状部材である。また、ハブ３２は、上面にフレキシブルディスク３１の取り付け部（図示省略）を備えると共に、下面にドライブ装置Ｄ（図７参照）のスピンドル（図示省略）にチャックされるチャック部３２１（図４（ｂ）参照）を備えている。
【００４８】
＜ハブ孔シャッタ＞
ハブ孔シャッタ４０は、図２に示すように、板状の第１シャッタ４１と第２シャッタ４２とで構成されている。このハブ孔シャッタ４０は、図３に示すように、ハブ３２を両側から挟み付けるようにしてハブ孔１２３（図３中、ハブ孔２２２と重なって見える）のハブ３２周りで形成される隙間を閉じるシャッタである。
【００４９】
第１シャッタ４１は、図３に示すように、その一端部に形成された軸孔４１１に下シェル１２の回動軸部１２５ａが差し込まれることで、回動軸部１２５ａ周りで回動可能になっている。また、第２シャッタ４２は、その一端部に形成された軸孔４２１に下シェル１２の回動軸部１２５ｂが差し込まれることで、回動軸部１２５ｂ周りで回動可能になっている。そして、第１シャッタ４１及び第２シャッタ４２のそれぞれの他端部には、ハブ３２の径に合わせ込むように切り欠かれた半円形の切欠４１２，４２２が形成されている。
【００５０】
また、図３に示すように、第１シャッタ４１には、下シャッタ２２の係合突起２２３ａが係合する係合長孔４１３が形成されており、第２シャッタ４２には、係合突起２２３ｂが係合する係合長孔４２３が形成されている。ちなみに、図３に示すように、ロータリシャッタ２０が閉位置に配置されている際には、係合突起２２３ａが係合長孔４１３の後端側に位置し、係合突起２２３ｂが係合長孔４２３の前端側に位置している。
【００５１】
なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が前記した隙間を開閉するように設計されている。
【００５２】
次に、記録ディスクカートリッジ１の動作について適宜図面を参照しながら説明しつつ、記録ディスクカートリッジ１の作用効果について説明する。参照する図面において、図７は、図１の記録ディスクカートリッジをドライブ装置に装填する際の記録ディスクカートリッジの動作を説明するための斜視図であり、記録ディスクカートリッジの下側を見上げた様子を示す図である。
【００５３】
図７に示すように、ドライブ装置Ｄに挿入される前（通常時）の記録ディスクカートリッジ１では、ロータリシャッタ２０が前記した閉位置に配置されることでアクセス用開口部１０１が閉じている。そして、ハブ孔シャッタ４０は、ハブ孔１２３のハブ３２周りで形成される隙間を閉じている。そのため、アクセス用開口部１０１や前記した隙間から記録ディスクカートリッジ１内に塵埃が入り込むことが防止されるとともに、記録ディスクメディア３０が外部に露出しないので汚損されることが防止される。このとき、図３に示すように、ロック片７０の先端部７１は、アーチ状フレーム１３１の係合溝１３１ｅ（図３参照）に係合しているので、ロータリシャッタ２０は回動しない。したがって、ロータリシャッタ２０が不用意に回動して、後記するように、アクセス用開口部１０１や前記した隙間が開かれることが防止される。なお、このようにロータリシャッタ２０が閉位置に配置される場合、シャッタノブ２４は、下シェル１２のガイド孔１２４の前方に位置している。
【００５４】
そして、図７に示すように、記録ディスクカートリッジ１がドライブ装置Ｄに挿入されると、ドライブ装置Ｄ内のロック解除ピン（図示省略）が、図３に示すロック片７０の先端部７１を内側方向Ａ６に押圧する。その結果、ロック片７０と係合溝１３１ｅとの係合が解除されることで、ロータリシャッタ２０が回動可能となる。
【００５５】
その一方で、シャッタノブ２４は、ドライブ装置Ｄのシャッタノブ係止部Ｄ１に当接する。そして、記録ディスクカートリッジ１をさらに挿入していくにしたがって、シャッタノブ２４は、図３に示すように、ガイド孔１２４内を後方向Ａ２に向かって移動する。その結果、シャッタノブ２４が後方向Ａ２に移動するにしたがって、ロータリシャッタ２０は、カートリッジケース１０内でセンタピン５０（図２参照）周りに開方向Ａ３に回動する。つまり、このようなロータリシャッタ２０の回動に伴って、アクセス用開口部１０１が、ドライブ装置Ｄ内で徐々に開いていく。
【００５６】
このようにドライブ装置Ｄに記録ディスクカートリッジ１が挿入されていく際に、ロータリシャッタ２０が、前記したように開方向Ａ３に向かって回動すると、下シャッタ２２の係合突起２２３ａが、周方向Ａ４に向かって回動するとともに、係合突起２２３ｂが、周方向Ａ４に向かって回動する。その結果、係合突起２２３ａが係合長孔４１３内を後端側に向かって移動することで、第１シャッタ４１は、切欠４１２がハブ３２から離れる方向Ａ５に向かって回動軸部１２５ａ周りに回動する。そして、係合突起２２３ｂが係合長孔４２３内を前端側に向かって移動することで、第２シャッタ４２は、切欠４２２がハブ３２から離れる方向Ａ５に向かって回動軸部１２５ｂ周りに回動する。その結果、ハブ孔シャッタ４０によるハブ３２の挟持状態が解除されるので、ドライブ装置Ｄのスピンドル（図示省略）によるハブ３２の回転が阻害されることがない。
【００５７】
また、記録ディスクカートリッジ１がドライブ装置Ｄから取り出される際には、ロータリシャッタ２０が付勢手段（図示省略）によって閉方向Ａ１に向かって回動することで前記した閉位置に戻る。そして、このロータリシャッタ２０の回動に伴って、係合突起２２３ａが係合長孔４１３内を前端側に向かって移動し、係合突起２２３ｂが係合長孔４２３内を後端側に向かって移動することで、ハブ孔シャッタ４０は、前記した隙間を閉じる。そして、このようにロータリシャッタ２０が閉位置に戻ると、前記したようにロック片７０がロータリシャッタ２０をロックすることで、ロータリシャッタ２０の回動は制止される。
【００５８】
なお、本実施形態では、ロータリシャッタ２０を閉方向Ａ１に付勢する付勢手段（図示省略）を有する記録ディスクカートリッジ１を例示しているが、本発明は付勢手段を省略したものであってもよい。この記録ディスクカートリッジ１では、例えば、スロット（図示省略）の近傍にシャッタノブ２４の係止手段（例えば、シャッタノブ２４のクランプ装置）を備えるドライブ装置Ｄを使用することによって、このドライブ装置Ｄへの挿入時には、係止手段でシャッタノブ２４が係止されることで、ロータリシャッタ２０がアクセス用開口部１０１を開き、ハブ孔シャッタ４０がハブ孔１２３を開く。そして、ドライブ装置Ｄから記録ディスクカートリッジ１を引き抜く際には、係止手段でシャッタノブ２４が係止されているので、ロータリシャッタ２０がアクセス用開口部１０１を閉じるとともに、ハブ孔シャッタ４０がハブ孔１２３を閉じる。この際、係止手段がシャッタノブ２４を係止する強さは、ロータリシャッタ２０を回動させるには充分であり、シャッタノブ２４の係止を操作者が容易に解除できる程度に設定される。
【００５９】
そして、このような記録ディスクカートリッジ１では、ロータリシャッタ２０の周壁部２０ａが、上シャッタ２１及び下シャッタ２２と別体のシャッタウォール２３で形成されている。そして、上シャッタ２１及び下シャッタ２２とシャッタウォール２３とが、かしめで固定されている。つまり、記録ディスクカートリッジ１では、従来の記録ディスクカートリッジ（例えば、特許文献１参照）におけるロータリシャッタと異なって、周壁部２０ａが絞り加工で形成されていないので、加工歪みを生じることがなく、上シャッタ２１及び下シャッタ２２の平坦性が失われることがない。
また、上シャッタ２１又は下シャッタ２２に対してインサート成形やアウトサート成形を行うことで合成樹脂製のシャッタウォール２３を形成したロータリシャッタ２０では、成形収縮などによって反り変形を生じる場合があるが、本実施形態に係る記録ディスクカートリッジ１のロータリシャッタ２０では、反り変形を生じることもない。
その結果、この記録ディスクカートリッジ１においては記録ディスクメディア３０の回転動作が安定するので、記録ディスクメディア３０の高密度記録化を図ることができる。
【００６０】
また、この記録ディスクカートリッジ１では、切欠部２０１を挟む端位置に形成された２つの第１のボス孔５が円孔になっており、第１のボス孔５の間に形成された第２のボス孔６が周方向に長い長孔になっている。そして、第１のボス孔５の最小内径は、ボスの外径よりも大きくなっている。したがって、この記録ディスクカートリッジ１では、シャッタウォール２３の上下のボス７が上シャッタ２１及び下シャッタ２２のそれぞれの第１のボス孔５に挿通される際に、第１のボス孔５とボス７との嵌合余裕によって、上シャッタ２１及び下シャッタ２２にストレス（歪み）が生じることがないので、上シャッタ２１及び下シャッタ２２の平坦性が失われることがより確実に防止される。そして、シャッタウォール２３の延びる方向に並んで立設された複数のボス７の各位置に、累積誤差が生じたとしても、第２のボス孔６が周方向に長い長孔になっているので、ボス７が第２のボス孔６内で周方向（長手方向）に遊動可能となる。その結果、前記した累積誤差が解消されることで上シャッタ２１及び下シャッタ２２にストレス（歪み）が生じることがないので、上シャッタ２１及び下シャッタ２２の平坦性が失われることがより確実に防止される。
【００６１】
また、この記録ディスクカートリッジ１では、第１のボス孔５がテーパ部５ａ（図５（ａ）参照）を有しており、第２のボス孔６が、テーパ部５ｂ（図５（ｂ）参照）を有しているので、ボス７がテーパ部５ａの位置及びテーパ部５ｂの位置でかしめられることで、第１のボス孔５及び第２のボス孔６からボス７が抜け出ることが確実に防止される。その結果、上シャッタ２１及び下シャッタ２２は、より強固にシャッタウォール２３に固定される。
【００６２】
以上、本発明の好適な実施形態について説明したが、本発明は前記実施形態に限定されるものではない。
本発明は、前記実施形態でのロータリシャッタ２０に代えて、次のようなロータリシャッタ２０を使用したものであってもよい。図８は、他の実施形態に係るロータリシャッタの分解斜視図であり、切欠部近傍の拡大図である。図９は、他の実施形態に係るロータリシャッタに使用するシャッタウォールの側面の部分拡大図である。
【００６３】
図８に示すように、他の実施形態に係るロータリシャッタ２０では、上シャッタ２１ａ及び下シャッタ２２ａの外周側に、ギヤ状に凹部２ｂと凸部２ａとが交互に周方向Ｒに沿って連続して並ぶ凹凸２が形成されている。そして、シャッタウォール２３ａには、上シャッタ２１ａ及び下シャッタ２２ａの厚さ以上の深さで、ギヤ状の凹凸２を構成する凸部２ａを受け入れる窪み２ｃが形成されている。
【００６４】
このロータリシャッタ２０では、上シャッタ２１ａ及び下シャッタ２２ａの凸部２ａが、シャッタウォール２３ａの窪み２ｃと噛み合うように、シャッタウォール２３ａと上シャッタ２１ａ及び下シャッタ２２ａとが組み立てられるので、シャッタウォール２３ａに対する上シャッタ２１ａ及び下シャッタ２２ａの組立精度、及び強度がより高められる。そして、このロータリシャッタ２０では、シャッタウォール２３ａの窪み２ｃの深さが、上シャッタ２１ａ及び下シャッタ２２ａの厚さ以上になっているので、ロータリシャッタ２０の厚さを、シャッタウォール２３ａの上下高さと同じに設定することができる。その結果、ロータリシャッタ２０をより薄くすることができる。なお、このようなロータリシャッタ２０では、ボス７の高さを窪み２ｃの深さと略一致する程度に設定することが望ましい。このようにボス７の高さを設定することで、ボス７をかしめた際に、第１のボス孔５内及び第２のボス孔６内にボス７をより確実に収めることができる。
また、図９に示すように、このようなロータリシャッタ２０では、上シャッタ２１ａ側のボス７の位置と、下シャッタ２２ａ側のボス７の位置とが周方向Ｒにずれているシャッタウォール２３ａが望ましく、上下のボス７が周方向Ｒに互い違いに設けられたものがさらに望ましい。このロータリシャッタ２０では、各ボス７をかしめていく際に、ロータリシャッタ２０の配置姿勢が安定するので、かしめ加工を精度よく行うことができる。また、このようなロータリシャッタ２０においても、窪み２ｃの深さとボス７の高さとが略一致していることが望ましい。
【００６５】
また、前記実施形態では、上シャッタ２１と下シャッタ２２とが、かしめで固定されているが、本発明はこれに限定されるものではなく、接着等の他の手法で固定されていてもよい。
【図面の簡単な説明】
【００６６】
【図１】本実施形態に係る記録ディスクカートリッジを示す斜視図であり、（ａ）は、この記録ディスクカートリッジの上側を見下ろした様子を示す図、（ｂ）は、この記録ディスクカートリッジの下側を見上げた様子を示す図である。
【図２】図１の記録ディスクカートリッジの分解斜視図である。
【図３】図１の記録ディスクカートリッジを構成する下シェル及びハブ孔シャッタを取り外したときの記録ディスクカートリッジの下側の様子を示す図である。
【図４】図１の記録ディスクカートリッジを構成するロータリシャッタの斜視図であり、（ａ）は、ロータリシャッタの上側を見下ろした様子を示す図、（ｂ）は、ロータリシャッタの下側を見上げた様子を示す図である。
【図５】（ａ）は、図４（ａ）のＸ−Ｘ断面図であり、（ｂ）は、図４（ａ）のＹ−Ｙ断面図である。
【図６】ロータリシャッタの分解斜視図であり、切欠部近傍の拡大図である。
【図７】図１の記録ディスクカートリッジをドライブ装置に装填する際の記録ディスクカートリッジの動作を説明するための斜視図であり、記録ディスクカートリッジの下側を見上げた様子を示す図である。
【図８】他の実施形態に係るロータリシャッタの分解斜視図であり、切欠部近傍の拡大図である。
【図９】他の実施形態に係るロータリシャッタに使用するシャッタウォールの側面の部分拡大図である。
【図１０】（ａ）は、従来の記録ディスクカートリッジの上側を前方左側から見下ろした様子を示す図、（ｂ）は、この記録ディスクカートリッジを構成するロータリシャッタの分解斜視図である。
【符号の説明】
【００６７】
１      記録ディスクカートリッジ
２      凹凸
２ａ    凸部
５      第１のボス孔（ボス孔）
５ａ    テーパ部（テーパ）
５ｂ    テーパ部（テーパ）
６      第２のボス孔（ボス孔）
７      ボス
１０    カートリッジケース
２０    ロータリシャッタ
２０ａ  周壁部
２１    上シャッタ（第１のシャッタプレート）
２１ａ  上シャッタ（第１のシャッタプレート）
２２    下シャッタ（第２のシャッタプレート）
２２ａ  下シャッタ（第２のシャッタプレート）
２３    シャッタウォール
２３ａ  シャッタウォール
３０    記録ディスクメディア
１０１  アクセス用開口部（開口部）
２１１  切欠部
２２１  切欠部
【図１】
2007141328.tif 000003
【図２】
2007141328.tif 000004
【図３】
2007141328.tif 000005
【図４】
2007141328.tif 000006
【図５】
2007141328.tif 000007
【図６】
2007141328.tif 000008
【図７】
2007141328.tif 000009
【図８】
2007141328.tif 000010
【図９】
2007141328.tif 000011
【図１０】
2007141328.tif 000012